(57)【要約】【課題】座を跳ね上げできるネスティング式椅子において、座の取り付けを簡単化すると共に、美感も向上させる。【解決手段】座は可動ベース体（座受け体）４に取り付けられている。可動ベース体４は左右の上向きアーム部２２を有しており、上向きアーム部２２の上端に設けた軸受け部２３を支持フレーム１９の支軸２４に嵌め込んでいる。従って、可動ベース体４は支軸２４を中心にして回動する。軸受け部２３は下向きに切欠かれており、支軸２４に上から嵌め込まれる。抜け止めはビス２６で行われる。軸受け部２３は上向きアーム部２２に一体成形されているため美感に優れている。【選択図】図４
2014097182.tif 000002
【特許請求の範囲】
【請求項１】
座とその後部の左右外側に配置され支持フレームとを備えており、前記座体を跳ね上げ回動し得るように前記支持フレームに連結し成る構成であって、
前記座又はこれが取り付いた座受け体の後部に座面よりも上に突出した上向きアーム部を一体に設け、前記上向きアーム部の上端部を、互いに嵌まり合う支軸と軸受け部との対によって前記支持フレームに連結している、
椅子。
【請求項２】
前記支持フレームに内向きの支軸を固定している一方、前記上向きアーム部には軸受け部を設けており、前記軸受け部には、当該軸受け部を下向き動させて前記支軸に嵌め込みできるように下向きの切欠きを設けている、
請求項１に記載した椅子。
【請求項３】
前記支軸は金属製であり、この支軸と前記軸受け部との間には樹脂製のブッシュが介在している、
請求項１又は２に記載した椅子。
【請求項４】
前記ブッシュは軸受け部に相対回動不能に保持されており、前記支軸の外周に係合溝を形成する一方、前記ブッシュには、前記座を跳ね上げた状態で前記係合溝に嵌合する弾性係合部を設けている、
請求項３に記載した椅子。
【請求項５】
前記軸受け部は前記支軸の端面に重なる中壁を備えており、前記中壁が弾性部材を介してビスにて前記支軸の端面に押え保持されている、
請求項１〜４のうちのいずれかに記載した椅子。
【請求項６】
前記弾性部材は皿型ばね座金であり、２枚の皿型ばね座金を逆向きにして重ね合わせている、
請求項５に記載した椅子。
【発明の詳細な説明】
【技術分野】
【０００１】
本願発明は、座を左右の支持フレームに跳ね上げ回動自在に取り付けた椅子に関するものである。
【背景技術】
【０００２】
前後に嵌め合わせできるネスティング式椅子では、座を跳ね上げ回動できるようになっている。このネスティング式椅子は脚装置を金属パイプで構成していることが多く、一般に、座の左右両側に脚装置を構成する支持フレームが配置されている。そこで、座は左右の支持フレームに跳ね上げ回動自在に連結していることが多い。
【０００３】
その例が特許文献１に記載されている。すなわちこの特許文献１では、脚装置を構成する後脚の上端を座面よりも上に突出させることで背もたれ支持杆と成し、この背もたれ支持杆に背もたれと座とを取り付けるにおいて、背もたれ支持杆に内向き突設した支軸に座支持ブラケットを吊支し、この座支持ブラケットを座の側面にビスで固定している。
【先行技術文献】
【特許文献】
【０００４】
【特許文献１】特許第４５９４８４９号公報
【発明の概要】
【発明が解決しようとする課題】
【０００５】
特許文献１では、座の跳ね上げ回動支点が背もたれの下端とおおよそ同じになるため、座を跳ね上げた状態で座の下端と背もたれの下端とを揃えることができて美感が良いと云える。しかし、ブラケットを隠すためのカバーが必要である問題や、組み立てに手間がかかるといった問題があった。
【０００６】
本願発明は、このような現状を改善すべく成されたものである。
【課題を解決するための手段】
【０００７】
本願発明は、各請求項で特定されている。このうち請求項１の発明は上位概念を成すもので、座とその後部の左右外側に配置され支持フレームとを備えており、前記座体を跳ね上げ回動し得るように前記支持フレームに連結し成る構成において、前記座又はこれが取り付いた座受け体の後部に座面よりも上に突出した上向きアーム部を一体に設け、前記上向きアーム部の上端部を、互いに嵌まり合う支軸と軸受け部との対によって前記支持フレームに連結している。
【０００８】
この請求項１においては、軸受け部と支軸とを上向きアーム部と支持フレームとのいずれに設けるかに限定はなく、支持フレームに支軸を設けて上向きアーム部に軸受け部を設けても良いし、支持フレームに軸受け部を設けて上向きアーム部に支軸を設けてもよい。但し、一般的には、支持フレームに支軸を設けて上向きアーム部に軸受け部を設けるのが好ましいと云える。
【０００９】
請求項２の発明は請求項１を具体化したもので、この発明では、前記支持フレームに内向きの支軸を固定している一方、前記上向きアーム部には軸受け部を設けており、前記軸受け部には、当該軸受け部を下向き動させて前記支軸に嵌め込みできるように下向きの切欠きを設けている。
【００１０】
請求項３の発明は請求項１又は２を好適に具体化したもので、前記支軸は金属製であり、この支軸と前記軸受け部との間には樹脂製のブッシュが介在している。また、請求項３の発明の展開例として請求項４では、前記ブッシュは軸受け部に相対回動不能に保持されており、前記支軸の外周に係合溝を形成する一方、前記ブッシュには、前記座を跳ね上げた状態で前記溝に嵌合する弾性係合部を設けている。
【００１１】
請求項５の発明は、請求項１〜４のうちのいずれかにおいて、前記軸受け部は前記支軸の端面に重なる中壁を備えており、前記中壁が弾性部材を介してビスにて前記支軸の端面に押え保持されている。この場合は、請求項６では、前記弾性部材は皿型ばね座金であり、２枚の皿型ばね座金を逆向きにして重ね合わせている。
【発明の効果】
【００１２】
本願発明では、上向きアーム部は座又は座受け体に一体に設けているため、美感に優れていてカバーで隠す必要はない。このため部材点数の削減にも貢献できる。
【００１３】
また、請求項２の構成を採用すると、例えば支軸を予め支持フレームに固定又は一体に設けておいた状態であっても、軸受け部を上から支軸に嵌め入れることができるため、組み立て作業を迅速に行える。この点、本願発明の大きな利点の一つである。
【００１４】
請求項３の構成を採用すると、ブッシュを耐磨耗性に優れると共に摩擦係数が小さい素材で製造することにより、耐久性を向上できると共に回動に際しての異音発生も防止できる。このようにブッシュを使用するにおいて、請求項４の構成を採用すると、ブッシュを利用して座を跳ね上げた状態に保持できるため、部材点数を増やすことなく座の前倒れを防止できる。また、請求項４では、ブッシュの弾性係合部が支軸の係合溝に嵌まることを人が感触で把握可能であるため（すなわち、人にクリック感を付与できるため）、座が所定の姿勢に跳ね上げられたことを人に知らしめることができる利点もある。
【００１５】
なお、実施形態のように、支軸に、座を倒した状態で弾性係合部が嵌まる係合溝を形成しておいて、座の倒れ姿勢を保持することも可能であり、この場合は、移動等に際して倒した状態の座が上下にふらつくことを防止できる利点がある。
【００１６】
また、請求項５のように弾性部材を介して軸受け部を取り付けると、跳ね上げた状態の座が運搬時等の振動によって倒れることを防止又は著しく抑制できる（請求項４と併用すると更に好ましい。）。この場合、請求項６のように弾性部材として皿型座金を使用すると、安価な市販品を利用して高い弾性力を付与できる利点がある。
【図面の簡単な説明】
【００１７】
【図１】第１実施形態に係る椅子の斜視図であり、（Ａ）は座を倒した状態の全体斜視図、（Ｂ）は座を跳ね上げた状態での全体斜視図、（Ｃ）は背もたれの部分的な分離斜視図である。
【図２】座を分離した状態の斜視図、（Ｂ）は座受け部の斜視図である。
【図３】座を省略した状態での分離斜視図である。
【図４】ロッキング機構を示す分離斜視図である。
【図５】（Ａ）は座部の一部分離斜視図、（Ｂ）はスライダーと支持ステーとの関係を示す図、（Ｃ）は（Ｂ）のＣ−Ｃ視断面図である。
【図６】（Ａ）は連動部の一部を示す分離斜視図、（Ｂ）は同じく連動部の部分正面図である。
【図７】（Ａ）は図６（Ｂ）のＡ−Ａ視断面図、（Ｂ）は（Ａ）の部分拡大図、（Ｃ）は図１０（Ｂ）のＢ−Ｂ視断面図である。
【図８】（Ａ）は動きを示すための側面図、（Ｂ）は跳ね上げ回動支点と支持ステーの押し位置との関係を示す分離側面図である。
【図９】（Ａ）（Ｂ）は可動ベース体の連結構造を示す分離斜視図、（Ｃ）は下キャップの斜視図である。
【図１０】（Ａ）は可動ベース体の連結構造を示す分離斜視図、（Ｂ）は回転軸心で切った平断面図である。
【図１１】（Ａ）（Ｃ）は分離斜視図、（Ｂ）は下ブッシュの斜視図である。
【図１２】（Ａ）は図１０のＡ−Ａ視断面図、（Ｂ）はビスをねじ込み切る前の状態の部分断面図である。
【図１３】可動ベース体の取り付け手順を示す図である。
【図１４】回転椅子に適用した実施形態の斜視図である。
【発明を実施するための形態】
【００１８】
(1).椅子の概要
次に、本願発明の実施形態を図面に基づいて説明する。まず、椅子の概略を主として図１〜４に基づいて説明する。なお、以下の説明で方向を特定するために「前後」「左右」の文言を使用しているが、この前後・左右は、椅子に普通に腰掛けた人から見た状態を基準にしている。正面視方向は、着座者と対向した方向である。
【００１９】
図１のとおり、椅子は、大きな要素として脚装置１と座２と背もたれ３とを備えており、座２は、跳ね上げ回動式の可動ベース体４に取り付けられている。従って、座２と可動ベース体４とを主要要素として座部５が構成されている。可動ベース体４は、請求項に記載した座受け体の一例である。
【００２０】
図１（Ａ）に示すように、座２は、樹脂製の座板（座インナーシェル）６とその上面に張った座クッション材７とを備えており、座クッション材７はクロス等の表皮材８で覆われている。なお、可動ベース体４は、回動式ベース又は跳ね上げ式ベースと呼ぶことも可能である。図２〜４に示すように、可動ベース体４の上面には多数の補強リブ９を設けている。
【００２１】
脚装置１は鋼管やアルミ管等の金属管から成っており（従って、本実施形態はいわゆるパイプ椅子に適用している。）、左右の前足１０と左右の後足１１とを有する４本足方式になっている。前後各足にはキャスタ１２を取り付けている。前足１０の上端には、水平に対してやや前傾した姿勢で後ろ向きに延びる上サイド部１４が曲げ形成されており、上サイド部１４の後端を後足１１の上端寄り部位に突き合わせて溶接で固定している。
【００２２】
左右の上サイド部１４の前端は左右横長の横杆１５で連結されている。横杆１５は前倒しされた可動ベース体４（座部５）を支持する機能も有しており、左右中間部が高くなるように正面視で上向き凸状に緩く曲がっている。後足１１は、上に行くほど手前にずれるように側面視で前傾姿勢になっており、かつ、緩い曲率で湾曲している。図１（Ｂ）のとおり、可動ベース体４の下面には、横杆１５の左右中間部が嵌まる凹所４ａを形成している。
【００２３】
後足１１の上端は自由端になっており、上端に軸心を左右水平とした上支軸１７が溶接で固定されており、この上支軸１７に背もたれ３が上ビス１８を介して後傾動可能に連結されている。従って、本実施形態では、後足１１の上端部が、背もたれ３と座２とを取り付ける支持部材の一例としての支持フレーム１９になっている。既述のように後足１１は側面視で前傾しているので、上支軸１７は座２の後端よりも手前に位置している。
【００２４】
左右の後足１１の左右間隔は左右前足１０の左右間隔よりも大きくなっており、このため、座部５を跳ね上げた状態で前後の椅子の脚同士を嵌め合わせる（ネスティングする）ことが可能になっている。例えば図３に明示されているように、後足１１の内側面には、椅子をネスティングした時に後ろの椅子の前足１０が当たる（嵌まる）ストッパー２０を設けている。ストッパー２０はゴム製又は樹脂製であり、緩衝機能と位置決め機能とを有している。
【００２５】
なお、脚装置１の形態は任意に設定することができる。敢えて述べるまでもないが、左右前足１０の間隔を左右後足１１の間隔より大きくすることによっても、ネスティング可能である。各足１０，１１は、中実の棒材で製造したり楕円管で製造したりすることも可能である。勿論、アルミダイキャスト品又は樹脂成形品も採用可能である。
【００２６】
例えば図３に示すように、可動ベース体４は、平面視四角形で浅い箱状の本体部２１と、本体部２１の後部から外側に広がりつつ上向きに突出した上向きアーム部２２と有している。可動ベース体４は樹脂成形品あり（アルミダイキャスト品でもよい）、上向きアーム部２２は本体部２１に一体に設けている。なお、本体部２１は箱状であることから、外周は周壁で構成されている。
【００２７】
上向きアーム部２２は基本的には前後方向に広い板状であるが、前後間隔は上に行くに従って狭まっており、上端には左右外向きに突出した軸受け部（軸受部）２３を一体に設けており、この軸受け部２３が支持フレーム１９の上下中途部に下支軸２４と下ブッシュ２５と下ビス２６とで回動可能に連結されている。下支軸２４が請求項に記載した支軸に相当する。
【００２８】
可動ベース体４は、軸受け部２３の軸心２７を中心にして跳ね上げ回動することができる。これにより、座部５は図１（Ｂ）のように跳ね上げられた（折り畳まれた）状態になる。座部５を跳ね上げた状態で、当該座部５の重心は軸受け部２３及び下支軸２４の軸心２７よりも後ろに位置している。なお、下支軸２４は支持フレーム１９に溶接で固定している。また、下ビス２６の頭は下キャップ２８で覆われている。
【００２９】
図１（Ｃ）に示すように、背もたれ３は、前後に大きく開口した背もたれ本体（メインフレーム）２９と、背もたれ本体２９にその開口部を覆うように取り付けられたサポート体３０とを有している。サポート体３０の前面には背クッション材３１を張っているが、背クッション材３１を設けずにサポート体３０を露出させたままでもよい。背もたれ本体２９及びサポート体３０は、樹脂の成形品である。
【００３０】
背もたれ本体２９のうち下寄りの部位には左右外側に張り出した外向き張り出し部２９ａを形成しており、この外向き張り出し部２９ａの外端に、上支軸１７に嵌まる軸受け部３２を形成している。軸受け部３２には図示しないブッシュが嵌まっており、上ビス１８を内側から上支軸１７にねじ込むことにより、背もたれ本体２９は上支軸１７に離脱不能に保持されている。上ビス１８の頭は上キャップ３３で覆われている。外向き張り出し部２９ａは平面視で手前に突出しており、このため、背もたれ３で着座者の腰部を後ろから囲う状態になっている。
【００３１】
背もたれ３を縦断側面視で見ると、背もたれ本体２９のうち外向き張り出し部２９ａを設けている高さ位置の部分が最も前に位置するように曲がった形態になっている。そして、外向き張り出し部２９ａの高さは、平均的な成人が着座した場合の腰部（特に第３腰椎のあたりが好ましい）の高さに設定している。このため、背もたれ３はランバーサポート機能を保持している。
【００３２】
背もたれ本体２９の開口とサポート体３０とは、下部が丸みを帯びて全体的に上に窄まった正面視形態を成している。サポート体３０には、その周縁部を除いて多数の穴が縦横に並んで開口しており、このため、多数の縦筋と横筋とが交叉した格子状の外観を呈している。サポート体３０の周縁部が背もたれ本体２９に嵌め込み装着されている。
【００３３】
敢えて述べるまでもないが、背もたれ本体２９を前後に開口していない構成として、これに背クッション材３１を直接に又はインナー部材を介して取り付けることも可能である。また、樹脂製のサポート体３０に代えて、可撓性のあるメッシュ材を背もたれ本体２９に張ることも可能である。樹脂製のサポート体３０を設ける場合、横長のスリットが多段に形成された形態など、様々の態様を採用できる。背もたれ３は、背もたれ本体２９のみで構成することも可能である。
【００３４】
背もたれ３が後傾すると、座２は前進する。従って、座２は可動ベース体４に前後スライド自在に取り付けられている。具体的には、図２〜４に示すように、可動ベース体４に左右一対のスライダー３６を前後動自在に装着し、左右スライダー３６に座板６が前後相対動不能に装着されている。従って、座２はスライダー３６と一緒に相対動する。図４に示すように、スライダー３６の前進動は、弾性支持手段の一例としてのばね３７（圧縮コイルばね）で弾性的に支持される。ばね３７は前後のばね受け３８，３９で支持されており、前部ばね受け３８は可動ベース体４に前後動不能に保持されており、後部ばね受け３９はスライダー３６で押されて前進する。
【００３５】
更に、左右のスライダー３６の後端部３６ｃには金属板製の左右横長の支持ステー４０がビス４１で固定されており、支持ステー４０の左右両端部に上向きの受動アーム４２を曲げ形成している一方、背もたれ本体２９の下端部には、支持ステー４０の受動アーム４２に上から嵌まるポケット状の押動部（ホルダー部）４３を設けている。
【００３６】
受動アーム４２の上端には、受動部として樹脂製の冠部材４４を装着している。冠部材４４は、押動部４３への反力を分散させると共に動きを滑らかにするためのものである。例えば図５に示すように、支持ステー４０のうちスライダー３６の固定部は上向き膨出部４０ａになっており、上向き膨出部４０ａに凹み形成した段部４０ｂにスライダー３６の突片３６ｃを固定している。
【００３７】
本実施形態の椅子は、着座者の凭れ掛かりによって背もたれ３がロッキングすると、支持ステー４０を介してスライダー３６が前進し、これにより、座２は背もたれ３のロッキングに連動して（シンクロして）前進する。
【００３８】
従って、本実施形態の椅子は、ネスティング可能な椅子でありながら、座２は背もたれ３のロッキングに連動して前進動する。なお、スライダー３６はばね３７で後退方向に付勢されているので、押動部４３は受動アーム４２を押す機能があれば足り、従って、ポケット状の形態にすることなく、例えば背もたれ本体２９の下部の一部を厚肉化することで、押動部４３として機能させることも可能である。本実施形態では、押動部４３と支持ステー４０の受動アーム４２とで連動手段を構成している。スライダー３６と支持ステー４２とに座２が取り付けられている（取り付け構造は後述する。
【００３９】
例えば図５のとおり、スライダー３６は前後長手で下向きに開口した溝型になっており、左右側板３６ａの下端に外向きの前後フランジ３６ｂを曲げ形成している。他方、可動ベース体４の左右側部には、スライダー３６が被さる前後一対の支持突起４５を設け、支持突起４５の上端に、軸心を作用横長にして配置されたコロ４６を転動自在に嵌め入れている。コロ４６はＰＯＭ樹脂のような摩擦係数が小さい樹脂で製造されており、スライダー３６を軽快かつ無音で前後スライドさせることができる。スライダー３６の上面には２条の長溝穴５２が空いているが、この長溝穴には、前部ばね受け３８に設けた爪が嵌まるようになっている。
【００４０】
スライダー３６の左右ずれは、可動ベース体４に設けた外ガイド壁４７と前後の内ガイド突起４８とによって規制されている。そして、外ガイド壁４７と前後の内ガイド突起４８とに、スライダー３６の前後フランジ３６ｂの上に位置したガイドストッパー４９を突設している。このため、スライダー３６は上向き移動不能で前後スライド自在に保持されている。スライダー３６の前後フランジ３６ｂの間に大きな間隔が空いている一方、前後のガイドストッパー４９の間にも大きな間隔が空いている。
【００４１】
(2).座の押動機構
次に、主として図６，７に基づいて、ロッキングに伴う座の押動機構を説明する。図６，７のとおり、支持ステー４０における受動アーム４２の上端には既述のとおり樹脂製の冠部材４４を装着している。冠部材４４は背もたれ４の押し力を受ける受動部となるもので、側面視で概ね円形に近い形態であり、受動アーム４２の上端が嵌まる下向き開口溝７５を設けている。
【００４２】
受動アーム４２の上端も側面視で概ね円弧状に形成されているが、手前側に係合段部７６を形成して後ろ側には切欠き７７を形成しており、このため、受動アーム４２の上端には首付きの頭部４２ａが形成された状態になっている。冠部材４４には、受動アーム４２の係合段に嵌合する爪部４４ａを形成しており、このため、冠部材４４は、受動アーム４２にガタ付き無く離脱不能に保持されている。
【００４３】
背もたれ本体２９の押動部４３は既述のとおりポケット状に形成されており、左右の側板４３ａと、左右側板の上端に繋がった天板４３ｂと、左右側板４３ａの内部に一対に繋がった上下長手の中板４３ｃとを有している。左右側板４３ａの前端には内向きのフロントリブ４３ｄが形成されており、フロントリブ４３ｄの間隔は、受動アーム４２は通るが冠部材４４は抜け出ない寸法に設定されている。受動アーム４２の頭４２ａ及び冠部材４４は、フロントリブ４３ｄと中板４３ｃとの間に位置しており、受動アーム４２が冠部材４４を介して中板４３ｃで押されることにより、背もたれ３のロッキングに連動して座２が前進動する。
【００４４】
図８に示すように、背もたれ３は上支軸１７の軸心７８を中心にして矢印７９方向に回動し、この回動により、押動部４３は下降しつつ前進する。他方、支持ステー４０は前進するだけである。従って、冠部材４４が押動部４３の内部に相対的に上昇動することにより（中板４３ｃで冠部材４４を押す位置が高くなることにより）、ロッキングによる座２の前進動が許容されている。背もたれ３に作用する体圧が解除されると、支持ステー４０はばね３７によって後退し、すると、押動部４３が冠部材４４で押されて背もたれ３は戻り回動する。
【００４５】
(3).可動ベース体の連結構造
次に、可動ベース体４の連結構造を主として図９〜１４に基づいて説明する。図９〜１１に示すように、可動ベース体４の軸受け部２３には、中壁８８を挟んで外向き穴８９と内向き穴９０とが形成されており、外向き穴８９に下ブッシュ２５が外から嵌まっている。
【００４６】
外向き穴８９は側面視で上が円弧の略馬蹄形であり、これに下ブッシュ２５の内端部２５ａが相対回転不能に嵌まっている。下ブッシュ２５は、内端部２５ａの外側に位置した下向き突出部２５ｂと、下向き突出部２５ｂの外側に位置して下半周を囲う厚肉部２５ｃを有している。厚肉部２５ｃの両端は上向きの段差面になっている。
【００４７】
他方、可動ベース体４の軸受け部２３は、下ブッシュ２５を左右と上から囲う逆Ｕ字型のドーム部２３ａを有しており、ドーム部２３ａの左右側板を軸心より下方の部位において切欠くことにより（切欠きを符号２３ｄで示す）、下ブッシュ２５の厚肉部２５ｃに上から重なる段部２３ｂを形成している。従って、下ブッシュ２５の肉厚部２５ｃの箇所は軸受け部２３の外周と略同一面を成していて、全体として円筒状になっている。下ブッシュ２５の内部は基本的には円形になっており、これに下支軸２４が嵌まっている。ドーム部２３ａは外向き穴８９の外端の外側にはみ出ている。従って、ドーム部２３ａは下方に開口している。
【００４８】
下ビス２６は内側から下支軸２４にねじ込まれており、下ビス２６には、内向き穴９０の底面に重なる平座金９１と、下ビス２６の座面に重なるフランジを有するカラー９２と、平座金９１とカラー９２のフランジとの間に位置した２枚の皿型ばね座金９３とが嵌まっている。皿型ばね座金９３を偏平に潰し変形した状態で下ビス２６をねじ込むことにより、軸受け部２３が下支軸２４に取り付けられる。２枚の皿型座金９３は、その凹部が相対向するように逆向きの姿勢で配置されている（凹部を逆方向に向けた姿勢でもよい。）。外向き穴９０は、前後スライド式の下キャップ２８で塞がれている。なお、皿型座金９３は３枚以上使用してもよい。
【００４９】
カラー９２が下支軸２４の穴の底面に突っ張ることで下ビス２６のねじ込み深さが規制され、その状態では、軸受け部２３は完全に締め込まれることなく、ばね座金９３は僅かながら潰し変形される余地が残っている。このため、可動ベース体４は下支軸２４の軸心２７を中心にして回動させることができる。また、ばね座金９３の弾性変形力が可動ベース体４の回動に対して抵抗として作用しているため、安価なばね座金９３を利用して、跳ね上げた状態の座部５が振動等で倒れ回動することを阻止できる。
【００５０】
更に、下ブッシュ２５の下向き突出部２５ｂに前後長手のばね片部２５ｄを一体に設け、ばね片部２５ｄの前後中間部に係合突部（弾性係合部）２５ｅを形成している一方、下ブッシュ２５には、座部５を倒した状態と起こした状態とにおいてばね片部２５ｄの係合突部２５ｅに選択的に嵌まる２本の係合溝９４を形成している。ばね片部２５ｄの下方は空間になっており、このため、ばね片部２５ｄが撓み変形して係合突起２５ｅが下ブッシュ２５から逃げることが許容されている。
【００５１】
また、係合突起２５ｅが係合溝９４に嵌まると、カチッという音がしたり、感触によって嵌まり合いが判る。すなわち、座部５を所定の姿勢に跳ね上げたり倒したりすると、人はクリック感を得ることができる。このため、所定姿勢に到達したことを把握できて、ユーザーフレンドリーである。なお、係合突起２５ｅと係合溝９４とは座部５の姿勢保持手段の一例であり、姿勢保持手段としては、例えば、ばねやゴム等の弾性体とボールとを使用したボールキャッチ等の様々な方法を採用できる。
【００５２】
図１３に示すように、可動ベース体４の取り付けは、軸受け部２３を下支軸に上から嵌め込むことで行われる。下ブッシュ２５は予め下支軸２４に嵌め込んでいる。この取り付けに際しては、下ブッシュ２５と軸受け部２３とは、図１０に示すように外向き穴８９の深さ寸法Ｅだけ左右方向に嵌合しているが、可動ベース体４の上向きアーム部２２は多少は撓み変形するため、可動ベース体４をある程度の力で下向きに押すと、軸受け部２３はいったん内側に逃げ変形してから、押し込み切るのと同時に戻り変形して、軸受け部２３は下ブッシュ２５に嵌合する。
【００５３】
この場合、軸受け部２３のドーム部２３ａが外側に張り出しているため、下ブッシュ２５への嵌め込みに際して前後方向の位置決めが自動的に成される。このため、取り付けを迅速かつ正確に行える。また、図１０に示すように、軸受け部２３のうち外向き穴８９の下方の部分は内側に行くほど下がった傾斜面２３ｃになっていると共に、下ブッシュ２５の先端部外面には面取り状の傾斜面２５ｆが形成されているため、下ブッシュ２５への軸受け部２３の誘い込みが確実ならしめられている。この点、本実施形態の利点の一つである。
【００５４】
そして、上記したとおり、下ブッシュ２５と軸受け部２３とは図１０に示すように外向き穴８９の深さ寸法Ｅだけ左右方向に嵌合しているが、軸受け部２３の下端を下ブッシュ２５の上端に当てて下向きに押すと、可動ベース体４の上向きアーム部２２がいったん撓み変形することにより、軸受け部２３の下端部が下ブッシュ２５の傾斜面２５ｆを乗り越えて下降動し、押し込み切るのと同時に上向きアーム部２２が戻り変形して軸受け部２３が下ブッシュ２５に嵌合して、これにより、可動ベース体４は上抜け不能に保持される。
【００５５】
(9).他の実施形態・その他
図１４では、回転椅子に適用した例を示している。この例では、ガスシリンダより成る脚支柱９６の上端に設けた昇降ベース９７に左右の支持フレーム１９を設け、この支持フレーム９８に背もたれ３と可動式ベース４とを回動自在に連結している。背もたれ３と可動式ベース４との連結構造は上記した実施形態と同じである。脚装置１は、脚筒９９に対する取り付け位置の高さを変えた２本ずつの枝足１０１，１０２を有している。このため、座部５を跳ね上げると前後にネスティングすることができる。
【００５６】
本願発明は、上記の実施形態の他にも様々に具体化できる。例えば、支持フレームに軸受け部を内向き突設して上向きアーム部に支軸を外向き突設してもい。この場合は、支持フレームの軸受け部を上向きに切欠くことで、支軸を上から嵌め込んだよい。この場合、軸受け部の切欠きが上向きに開口しているが、これはキャップで覆ったらよい。
【００５７】
また、引用文献は座が前進しないタイプの椅子にも適用できる。この場合は、座受け体は座を構成する座板（シェル体）に設けてもよいし、座とは別に座受け体を設けて、これに座受け体に設けてもよい。また、皿型ばね座金等の弾性部材を使用した弾性的締結構造は他の部位にも適用可能であり、独立した発明たり得る。
【産業上の利用可能性】
【００５８】
本願発明は椅子に具体化して製造できる。従って、産業上、利用できる。
【符号の説明】
【００５９】
１  脚装置
２  座
３  背もたれ
４  座受け体の一例としての可動ベース体
１１  脚装置の後足
１７  上支軸
１９  支持部材の一例としての支部フレーム
２１  可動ベース体の本体部
２３  可動ベース体の軸受け部
２３ａ  下方に切り欠かれてドーム部
２３ｄ  切欠き
２２  可動ベース体に設けた上向きアーム部
２４  下支軸（支軸）
２５  下ブッシュ
２５ｅ  係合突部（弾性係合部）
２９  背もたれ本体
３２  背もたれ本体の軸受け部
３６  スライダー
４０  支持ステー
４２  受動アーム
４３  押動部
８８  中壁
９３  弾性部材の一例としての皿型ばね座金
９４  係合溝
【図１】
2014097182.tif 000003
【図２】
2014097182.tif 000004
【図３】
2014097182.tif 000005
【図４】
2014097182.tif 000006
【図５】
2014097182.tif 000007
【図６】
2014097182.tif 000008
【図７】
2014097182.tif 000009
【図８】
2014097182.tif 000010
【図９】
2014097182.tif 000011
【図１０】
2014097182.tif 000012
【図１１】
2014097182.tif 000013
【図１２】
2014097182.tif 000014
【図１３】
2014097182.tif 000015
【図１４】
2014097182.tif 000016